(57)【要約】【課題】基準媒体を準備しておくことなく、容易に精度良く発券する。【解決手段】発券装置は、ロール紙から繰り出された用紙を切断する券切断部と、券切断部で得られた券を搬送する搬送部と、券の搬送中に、搬送方向に沿って移動する券の搬送方向に沿った長さを検知する券長検知部と、ロール紙の幅方向に相当する券の幅方向が搬送方向に沿った向きとなるように、券の向きを変更する券方向変更部と、券切断部および搬送部を制御して、設定条件に従った長さの券を発券するとともに、設定条件に従った長さが規定の長さとなるように、あらかじめ、券切断部、搬送部、券長検知部、および、券方向変更部を制御して、設定条件を調整する制御部と、を備える。制御部は、設定条件を調整する際において、ロール紙の幅方向に相当する券の幅方向の長さを検知した検知結果に基づいて、設定条件に従った長さが規定の長さとなるように、設定条件の調整を行う。【選択図】図１
2014024242.tif 000002
【特許請求の範囲】
【請求項１】
発券装置であって、
ロール紙から繰り出された用紙を切断する券切断部と、
前記券切断部で得られた券を搬送する搬送部と、
前記券の搬送中に、搬送方向に沿って移動する前記券の前記搬送方向に沿った長さを検知する券長検知部と、
前記ロール紙の幅方向に相当する前記券の幅方向が前記搬送方向に沿った向きとなるように、前記券の向きを変更する券方向変更部と、
前記券切断部および前記搬送部を制御して、設定条件に従った長さの券を発券するとともに、前記設定条件に従った長さが規定の長さとなるように、あらかじめ、前記券切断部、前記搬送部、前記券長検知部、および、前記券方向変更部を制御して、前記設定条件を調整する制御部と、
を備え、
前記制御部は、前記設定条件を調整する際において、
前記ロール紙の幅方向に相当する前記券の幅方向の長さを検知した検知結果に基づいて、前記設定条件に従った長さが前記規定の長さとなるように、前記設定条件の調整を行う
ことを特徴とする発券装置。
【請求項２】
請求項１に記載の発券装置であって、
前記制御部は、前記設定条件を調整する際において、
前記券の幅方向の長さを検知し検知結果に基づいて前記規定の長さに対応する券長基準値を取得し、
前記設定条件に従った長さを検知した検知結果を券長測定値として取得し、
前記券長基準値に対する前記券長測定値のずれを求め、求めたずれに基づいて前記規定の長さに対応する設定条件を求める
ことを特徴とする発券装置。
【請求項３】
請求項２に記載の発券装置であって、
前記券長検知部は、前記券長基準値を、前記券の幅方向の先端を検知してから後端を検知するまでの検知時間に基づいて取得するとともに、前記券長測定値を、前記設定条件に従って得られた券の先端を検知してから後端を検知するまでの検知時間に基づいて前記券長測定値を取得し、前記券長基準値と前記券長測定値との差に基づいて前記設定条件を調整する
ことを特徴とする発券装置。
【請求項４】
請求項３に記載の発券装置であって、
前記券長基準値は、前記券の幅方向の検知時間と、前記ロール紙の幅方向の長さの規定値に対する前記規定の長さの比と、の積に基づいて求められる
ことを特徴とする発券装置。
【請求項５】
請求項３に記載の発券装置であって、
前記ロール紙の幅方向の長さの実測値の入力を許容する入力操作部を備え、
前記券長基準値は、前記券の幅方向の検知時間と、前記ロール紙の幅方向の長さの実測値に対する前記規定の長さの比と、の積に基づいて求められる
ことを特徴とする発券装置。
【請求項６】
請求項１から請求項５までのいずれか一項に記載の発券装置であって、
前記券切断部は、
前記ロール紙をあらかじめ定めた繰り出し長単位で繰り出す繰り出し機構部と、
前記ロール紙から繰り出された用紙を切断する切断機構部と、
前記用紙を前記規定の長さで切断するための基準位置として、前記用紙の先端を検知する先端検知部と、
を備え、
前記制御部は、前記設定条件に従って前記繰り出し機構部による前記用紙の繰り出し量を制御することにより、前記券の長さを制御する
ことを特徴とする発券装置。
【請求項７】
発券装置で発券される券の長さを自動的に調整する券長調整方法であって、
前記発券装置は、
ロール紙から繰り出された用紙を切断する券切断部と、
前記券切断部で得られた券を搬送する搬送部と、
前記券の搬送中に、搬送方向に沿って移動する前記券の前記搬送方向に沿った長さを検知する券長検知部と、
前記ロール紙の幅方向に相当する前記券の幅方向が前記搬送方向に沿った向きとなるように、前記券の向きを変更する券方向変更部と、
を備え、
前記券切断部、前記搬送部、前記券長検知部、および、前記券方向変更部を制御して、前記設定条件を調整する際において、前記ロール紙の幅方向に相当する前記券の幅方向の長さを検知した検知結果に基づいて、前記設定条件に従った長さが前記規定の長さとなるように、前記設定条件の調整を行う
ことを特徴とする券長調整方法。
【請求項８】
請求項７に記載の券長調整方法であって、
前記設定条件を調整する際において、
前記券の幅方向の長さを検知し検知結果に基づいて前記規定の長さに対応する券長基準値を取得し、
前記設定条件に従った長さを検知した検知結果を券長測定値として取得し、
前記券長基準値に対する前記券長測定値のずれを求め、求めたずれに基づいて前記規定の長さに対応する設定条件を求める
ことを特徴とする券長調整方法。
【発明の詳細な説明】
【技術分野】
【０００１】
本発明は、発券装置に関する。
【背景技術】
【０００２】
本技術分野の背景技術として、例えば、特許文献１に記載の発券装置がある。この発券装置は、入力設定された基準値に応じて装置自体が内部で自動的に券の切断長さを調整制御するものである。具体的には、カッター装置で所定の乗車券長さとして切断した券長さを、乗車券検知センサーで検知し続けた券搬送検知時間より割り出して券長さセンサー値を求め、この券長さセンサー値と基準長さ(基準値)とを比較して、券長さの補正値を求め、この補正値に応じてパルスモーターを送り制御して、次に発券させる券を基準長さになるように切断制御するものである。
【先行技術文献】
【特許文献】
【０００３】
【特許文献１】特開平２−７１３９１号公報
【発明の概要】
【発明が解決しようとする課題】
【０００４】
しかしながら、上記したように、券長さセンサー値は、乗車券検知センサーで検知し続けた搬送検知時間より割り出して求めているため、搬送用のローラー径等の寸法誤差、パルスモーターで送り出し制御される送り出し量の誤差等、装置に依存したバラツキが発生する。このため、装置に依存したバラツキの度合いによっては、割り出された券長さセンサー値が、基準長さとなるように制御されたとしても、発券された実際の券の長さが、基準長さの許容範囲から外れた長さとなる場合がある、という問題がある。
【０００５】
上記問題を解決するには、券長さセンサー値と実際の券の長さとのずれを求めて、求めたずれに応じて券長さセンサー値を補正することが考えられる。この補正を行う方法としては、例えば、「手動補正」と「自動補正」の二つの方法が考えられる。
【０００６】
手動補正は、例えば、以下のように実行される。まず、切断した券の長さを実際に測定して、要求される券の規定の長さとの差から補正量を求める。次に、求めた補正量を装置の制御補正量として装置に入力設定する。そして、以上の作業を、切断した券の実際の長さが規定の長さとなるまで繰り返し行う。なお、この規定の長さは、実際には、規定の長さを中心とする許容範囲内にある長さも含む。以上の作業を行うことにより、センサー値と実際の券の長さとのずれの補正（「調整」とも呼ぶ）が手動で実行され、切断した券の長さが規定の長さとなるように調整される。この手動補正では、券の実際の長さが規定の長さとなるまで繰り返し実行しなければならず、手間がかかるという問題がある。
【０００７】
自動補正は、例えば、以下のように実行される。まず、規定の長さを有する基準媒体を準備し、その基準媒体の長さを、装置に設けた切断した券の長さを検知する機能（「券長検知機能」とも呼ぶ）により検知させ、得られたセンサー値を基準値に設定する。次に、装置に設けた切断機能により切断した券の長さを、同様に、券長検知機能で検知させ、得られたセンサー値と、上記基準値および基準値に対応する規定の長さと、に基づいて補正量（「調整量」とも呼ぶ）を算出させ、得られた補正量で動作するように設定を変更する。以上の作業を装置内で行うことにより、センサー値と実際の券の長さとのずれの補正が自動で実行され、切断した券の長さが規定の長さとなるように調整される。この自動補正では、調整は容易であるが、予め、規定の長さを有する基準媒体を準備して保管しておく必要があり、手間がかかるという問題がある。
【０００８】
そこで、本発明は、上述した従来の課題を解決するためになされたものであり、発券装置において、基準媒体を準備しておくことなく、容易に精度良く発券することを可能とする技術を提供することを目的とする。
【課題を解決するための手段】
【０００９】
上記課題を解決するために、本発明は、券切断部でロール紙から繰り出された用紙を設定条件に従って切断することにより得られた券の長さが規定の長さとなるように、あらかじめ、ロール紙の幅方向に相当する券の幅方向の長さを検知した検知結果に基づいて、設定条件の調整を行うことを特徴とする。
【発明の効果】
【００１０】
本発明によれば、発券する券の長さが規定の長さとなるように、ロール紙の幅方向を基準として、設定条件を調整することができるので、従来技術のような基準媒体を準備しておくことなく、精度良く発券することが可能となる。
【図面の簡単な説明】
【００１１】
【図１】実施例１における発券装置の構成を模式的に示す説明図である。
【図２】発券する券に要求される仕様の例を示す説明図である。
【図３】発券制御部による発券処理を示すフローチャートである。
【図４】繰り出された用紙の先端の位置決め及び用紙の切断について示す説明図である。
【図５】調整用の券に要求される仕様の例を示す説明図である。
【図６Ａ】調整制御部による調整処理を示すフローチャートである。
【図６Ｂ】調整制御部による調整処理を示すフローチャートである。
【図７】調整用の券の向きの変更について示す説明図である。
【図８】調整要否判断処理の例を示すフローチャートである。
【図９】券長基準値と券長測定値とずれ量の関係を示す説明図である。
【図１０Ａ】第２実施例における調整処理を示すフローチャートである。
【図１０Ｂ】第２実施例における調整処理を示すフローチャートである。
【図１１】調整要否判断処理の例を示すフローチャートである。
【発明を実施するための形態】
【００１２】
以下、本発明の実施の形態は、ロール紙から繰り出された用紙を切断する券切断部と、前記券切断部で得られた券を搬送する搬送部と、前記券の搬送中に、搬送方向に沿って移動する前記券の前記搬送方向に沿った長さを検知する券長検知部と、前記ロール紙の幅方向に相当する前記券の幅方向が前記搬送方向に沿った向きとなるように、前記券の向きを変更する券方向変更部と、前記券切断部および前記搬送部を制御して、設定条件に従った長さの券を発券するとともに、前記設定条件に従った長さが規定の長さとなるように、あらかじめ、前記券切断部、前記搬送部、前記券長検知部、および、前記券方向変更部を制御して、前記設定条件を調整する制御部と、を備える発券装置である。そして、設定条件を調整する際において、ロール紙の幅方向に相当する券の幅方向の長さを検知した検知結果に基づいて、設定条件に従った長さが規定の長さとなるように、設定条件の調整を行うことが可能であり、従来技術のような基準媒体を準備しておくことなく、規定の長さの券を精度良く発券することが可能となるものである。具体的には、以下の各実施例で説明する。
【実施例１】
【００１３】
（１）発券装置の構成
図１は、実施例１における発券装置の構成を模式的に示す説明図である。この発券装置１０は、例えば、乗車券や入場券等の切符を発券する装置である。発券装置１０は、ロール紙２０がセットされるホルダー３０と、券切断部４０と、搬送部５０と、制御部６０と、を備える。発券装置１０は、他に、搬送部５０の搬送路上に、印字や磁気記録等を行う記録部等の種々の機能部を備えるが、本例では省略する。
【００１４】
券切断部４０は、繰り出しモーター４２と、繰り出しローラー４４と、カッター４６と、先端検知センサー４８ａ，４８ｂと、を備える。繰り出しモーター４２および繰り出しローラー４４は、制御部６０の後述する繰り出し制御部の制御に基づいて、あらかじめ設定された繰り出し長単位でロール紙２０を繰り出す繰り出し機構部である。カッター４６は、ロール紙２０から繰り出された用紙２１を、制御部６０の後述する切断制御部の制御に基づいて切断する切断機構部である。先端検知センサー４８ａ，４８ｂは、用紙２１の検知信号を制御部６０の後述する先端検知部へ供給する。なお、第１の先端検知センサー４８ａはカッター４６の位置から下流方向に距離Ｌｂｒだけ離れた位置に配置されており、第２の先端検知センサー４８ｂは距離Ｌｂだけ離れた位置に配置されている。
【００１５】
券切断部４０は、後述するように、繰り出し機構部によってロール紙２０から用紙２１を繰り出して、その先端を先端検知部によって検知し、先端を検知した先端検知センサーの位置を切断の基準位置とする。そして、券切断部４０は、繰り出し機構部によって、さらに、設定条件に従った長さに応じた分の用紙を基準位置から繰り出した後、切断機構部で切断することにより、設定条件に従った長さの券を得るものである。
【００１６】
搬送部５０は、搬送モーター５２と、搬送ローラー５４と、を備える。搬送モーター５２および搬送ローラー５４は、券切断部４０で作製された券２２を、制御部６０の後述する搬送制御部の制御に基づいて、あらかじめ設定された搬送速度で搬送する。
【００１７】
２つの先端検知センサー４８ａ，４８ｂの間には、回転機構部８０が設けられている。この回転機構部８０は、制御部６０の後述する券方向変更制御部に基づいて、券切断部４０で切断して得られた券２２を、その幅の方向が搬送部５０の搬送方向に沿った方向を向くように、例えば、進行方向に向かって時計周りあるいは反時計周りに９０度回転させる券方向変更部である。
【００１８】
搬送部５０の搬送路上には、券長検知センサー７２が設けられている。この券長検知センサー７２は、搬送される券２２の検知信号を制御部６０の後述する券長検知部へ供給する。券長検知部では、後述するように検知信号に基づいて、搬送される券２２の券長を検知する。
【００１９】
制御部６０は、入力操作部６１と、制御データ記憶部６２と、発券制御部６３と、調整制御部６４と、繰り出し制御部６５と、切断制御部６６と、先端検知部６７と、券方向変更制御部６８と、搬送制御部６９と、券長検知部７０と、を備える。制御部６０は、図示しないＣＰＵおよびＲＯＭやＲＡＭ等のメモリを備えるコンピュータで構成され、メモリに記憶されているプログラムが読み出されて実行されることにより実現される。
【００２０】
入力操作部６１は、図示しない操作ボタンや操作キーを有し、発券装置の利用者による入力を許容し、また、発券装置の設定者による入力を許容する。制御データ記憶部６２は各部の動作で用いられる制御データ、例えば、設定者によって入力設定されたデータ等の後述する設定条件を示すデータを記憶する。
【００２１】
繰り出し制御部６５は、繰り出し機構部の動作、より具体的には繰り出しモーター４２の動作を制御して、ロール紙２０から繰り出される用紙２１の繰り出し量を制御する。切断制御部６６は、カッター４６による用紙２１の切断動作を制御する。先端検知部６７は先端検知センサー４８ａ，４８ｂからの検知信号に基づいて、用紙２１の先端を検知し、先端を検知した先端検知センサーの位置を切断の基準位置とする。券方向変更制御部６８は、回転機構部８０によって実行される券の幅方向の向きを搬送部５０の搬送方向に沿った向きに変更する動作を制御する。搬送制御部６９は搬送部５０による搬送動作を制御する。券長検知部７０は、券長検知センサー７２からの検知信号に基づいて、搬送される券の搬送方向に沿った長さ（以下、「券長」とも呼ぶ）を検知する。
【００２２】
発券制御部６３は、通常の発券処理、すなわち、規定の長さとなるように切断された券の発券処理を制御する。調整制御部６４は、設定条件に従って作製された券の長さが規定の長さとなるように、設定条件の調整を行う。なお、発券制御部６３による通常の発券処理および調整制御部６４による調整処理については、以下で説明する。
【００２３】
（２）通常の発券処理
発券制御部６３（図１）は、以下で説明するように、ロール紙２０から繰り出された用紙２１を、その先端から後述する設定条件に従った長さで切断して、これにより得られた切断長の券を搬送し、規定の長さの券を発券する処理を制御する。図２は、発券する券に要求される仕様の例を示す説明図である。図２に示すように、ロール紙２０から繰り出された用紙２１を切断して得られる券２２に要求される仕様として、例えば、幅はロール紙２０すなわち用紙２１の幅と同じ規定の幅Ｌｗに設定されており、規定の長さはＬｓｔに設定されているものとする。また、規定の幅Ｌｗの許容値は±Ｌｗｐｖ（Ｌｗｐｖは０以上の実数）で、規定の長さＬｓｔの許容値は±Ｌｐｖ（Ｌｐｖは０以上の実数）に設定されているものとする。
【００２４】
図３は、発券制御部による発券処理を示すフローチャートである。まず、発券制御部６３は券切断部４０の動作を制御してロール紙２０から繰り出された用紙２１を切断し、切断長が規定の長さを有する券２２を得る。具体的には、まず、発券制御部６３は、繰り出し制御部６５を介して繰り出しモーター４２を駆動してロール紙２０の繰り出しを開始する（ステップＳ１０２）。そして、発券制御部６３は、発券用の先端検知センサー４８ｂの検知信号に基づいて先端検知部６７でロール紙２０から繰り出された用紙２１の先端の検知を実行する（ステップＳ１０４）。用紙２１の先端を検知した場合、発券制御部６３は、繰り出し制御部６５を介して繰り出しモーター４２の駆動を停止してロール紙２０の繰り出しを停止し、発券用の先端検知センサー４８ｂの位置を、切断位置を決定するための基準位置として位置決めする（ステップＳ１０６）。次に、発券制御部６３は、繰り出し制御部６５を介して繰り出しモーター４２の駆動を再開して、用紙２１の先端を、基準位置から設定条件に従った調整長Ｌｃ分だけ繰り出し（ステップＳ１０８）、切断制御部６６を介してカッター４６を駆動して、切断長Ｌｃｕｔ（＝Ｌｂ＋Ｌｃ）で用紙２１を切断する（ステップＳ１１０）。なお、この切断長Ｌｃｕｔは後述する調整処理により規定の長さＬｓｔとなるように設定されている。
【００２５】
図４は、繰り出された用紙の先端の位置決め及び用紙の切断について示す説明図である。図４（Ａ）に示すように、発券用の先端検知センサー４８ｂは、カッター４６の位置から距離Ｌｂだけ搬送路下流側に固定配置されている。このため、先端検知センサー４８ｂで用紙２１の先端を検知し、その位置を基準位置とした場合、用紙２１の先端（基準位置）からカッター４６までの長さ（以下、「固定長」とも呼ぶ）はＬｂとなる。そこで、図４（Ｂ）に示すように、規定の長さＬｓｔと固定長Ｌｂとの差分を調整長Ｌｃとし、調整長Ｌｃ分だけ用紙２１を繰り出して切断することにより、切断された用紙、すなわち、券２２の切断長Ｌｃｕｔを、設計上は規定の長さＬｓｔとすることができる。なお、調整長Ｌｃは、繰り出しモーター４２および繰り出しローラー４４によって繰り出される用紙２１の繰り出し単位長Ｌｓｔｐと繰り出し回数（「ステップ数」とも呼ぶ）ｓｔｐとの積で表すことができる。なお、規定の長さＬｓｔ、固定長Ｌｂ、調整長Ｌｃ、繰り出し単位長Ｌｓｔｐ、および、繰り出し回数ｓｔｐの初期値、等は、設定条件として、あらかじめ、設定者によって入力操作部６１を介して設定され、制御データ記憶部６２のそれぞれに割り当てられた領域に記憶されている。以上の説明からわかるように、券切断部５０では、繰り出しモーター４２および繰り出しローラー４４による繰り出し回数に応じて容易に用紙の切断長を制御することが可能である。
【００２６】
なお、上記説明では、発券用の先端検知センサー４８ｂでの先端検知による先端の位置決めおよび用紙の切断について説明したが、後述する調整用の券の作製において用いられる調整用の先端検知センサー４８ａでの先端検知による先端の位置決めおよび用紙の切断についても同様である。なお、調整用の先端検知センサー４８ａはカッター４６の位置から距離Ｌｂｒだけ搬送路下流側で、発券用の先端検知センサー４８ｂよりも搬送路上流側に固定配置されている。
【００２７】
次に、発券制御部６３は搬送部５０の動作を制御して、券切断部４０で得られた券２２の搬送を実行する。具体的には、図３に示すように、まず、発券制御部６３は、搬送制御部６９を介して搬送モーター５２を駆動して搬送を開始する（ステップＳ１１２）。このとき、同様に、発券制御部６３が、繰り出し制御部６５を介して券切断部４０の繰り出しモーター４２を駆動して、券切断部４０から搬送部５０へ向けて、得られた券２２を繰り出すことにより、搬送ローラー５４に到達した券２２が搬送部５０により搬送されることになる。
【００２８】
搬送部５０による搬送過程において、発券制御部６３は、搬送中の券２２の先端を券長検知部７０により検知した場合には（ステップＳ１１４）、券長検知部７０によるその通過時間の計測を開始し（ステップＳ１１６）、券２２の後端を券長検知部７０により検知した場合には（ステップＳ１１８）、券長検知部７０によるその通過時間の計測を終了して、券２２の通過時間を券通過時間として取得する（ステップＳ１２０）。そして、発券制御部６３は、求めた券通過時間から、得られた券２２の長さ（切断長）を求める。例えば、券長検知センサー７２を通過する券２２の搬送速度と券通過時間との積からその長さを求めることができる。
【００２９】
次に、発券制御部６３は、求めた券２２の長さが規定の長さＬｓｔに対して許容される範囲内であるか否か、すなわち、券長がＯＫか否かを判断する（ステップＳ１２２）。その結果、券２２の長さが許容範囲内であった（券長ＯＫであった）場合には（ステップＳ１２２：ＹＥＳ）、図示しない他の処理を含む搬送処理の終了後、発券処理を終了する。一方、券２２の長さが許容範囲内でない（券長ＯＫでない）場合には（ステップＳ１２２：ＮＯ）、異常処理を実行して（ステップＳ１２４）処理を終了する。なお、異常処理としては、発券処理の中止や発券装置の動作停止等の種々の動作中断処理が考えられる。
【００３０】
以上のように、通常の発券処理ではロール紙２０から繰り出された用紙２１を、設定条件に従った切断長で切断することにより、規定の長さＬｓｔを有する券２２を発券することができる。なお、設定条件は、以下で説明する調整処理により、切断長が規定の長さＬｓｔとなるように調整される。
【００３１】
（３）調整処理
調整制御部６４（図１）は、以下で説明するように、ロール紙２０から繰り出された用紙２１を先端から調整用の長さで切断し、得られた調整用の券の幅方向が長さ方向で、長さ方向が幅方向を向くようにして調整用の券の幅を調整用の基準長とし、この基準長を検知センサーで検知して得られた券長基準値に基づいて、設定条件の調整処理を制御する。図５は、調整用の券に要求される仕様の例を示す説明図である。図５に示すように、ロール紙２０から繰り出された用紙２１を切断して得られる調整用の券２２ｒの仕様として、例えば、幅はロール紙２０すなわち用紙２１の幅と同じ規定の幅Ｌｗに設定されており、規定の長さはＬｓｔｒに設定されているものとする。なお、調整用の券２２ｒは、後述するように、用紙２１の幅、すなわち、寸法が既知の幅を基準長として利用するものである。このため、調整用の券２２ｒの切断時点における規定の長さＬｓｔｒには特に制限はないが、切断する用紙２１の無駄を考慮し、又は回転後に搬送できることを考慮して、幅Ｌｗよりも短い長さに設定されるのが好ましい。
【００３２】
図６Ａおよび図６Ｂは、調整制御部による調整処理を示すフローチャートである。調整制御部６４は、まず、調整用の券２２ｒを作製し、得られた調整用の券２２ｒの幅方向の長さを基準長として券長センサーで検知した後、通常の発券処理と同様に、現状設定されている設定条件に従って券２２を作製し、得られた券２２の長さを検知する。そして、得られた調整用の券２２ｒの基準長の測定値および得られた券２２の長さの測定値に基づいて、設定条件を調整する。具体的には、以下で説明するように、各処理が実行される。
【００３３】
まず、調整制御部６４は、図６Ａに示すように、券切断部４０の動作を制御してロール紙２０から繰り出された用紙２１を切断し、調整用の券２２ｒを作製する。具体的には、調整制御部６４は、繰り出し制御部６５を介して繰り出しモーター４２を駆動してロール紙２０の繰り出しを開始する（ステップＳ２０２）。そして、調整制御部６４は、調整用の先端検知センサー４８ａの検知信号に基づいて先端検知部６７でロール紙２０から繰り出された用紙２１の先端の検知を実行する（ステップＳ２０４）。用紙２１の先端を検知した場合、調整制御部６４は、繰り出し制御部６５を介して繰り出しモーター４２の駆動を停止してロール紙２０の繰り出しを停止し、調整用の先端検知センサー４８ａの位置を、切断位置を決定するための基準位置として位置決めする（ステップＳ２０６）。次に、調整制御部６４は、繰り出し制御部６５を介して繰り出しモーター４２の駆動を再開して、用紙２１の先端を、基準位置から、調整用の設定条件として設定されている繰り出し回数（ステップ数）ｓｔｐｒおよび繰り出し単位長Ｌｓｔｐに従った調整長Ｌｃｒ分だけ繰り出し（ステップＳ２０８）、切断制御部６６を介してカッター４６を駆動して、調整用の規定の長さＬｓｔｒ（＝Ｌｂｒ＋Ｌｃｒ）で用紙２１を切断する（ステップＳ２１０）。そして、切断された調整用の券２２ｒは、繰り出し制御部６５を介して駆動される繰り出しモーター４２および繰り出しローラー４４によって回転機構部８０の位置まで繰り出される。なお、調整用の規定の長さＬｓｔｒ、固定長Ｌｂｒ、調整長Ｌｃｒ、および、繰り出し回数ｓｔｐｒも、それぞれ、あらかじめ、設定者によって入力操作部６１を介して設定され、制御データ記憶部６２のそれぞれに割り当てられた領域に記憶されている。ただし、調整長Ｌｃｒは０として省略してもよい。
【００３４】
そして、調整制御部６４は、券方向変更制御部６８を介して回転機構部８０を駆動して、調整用の券２２ｒの向きを９０度回転させる（ステップＳ２１１）。図７は、調整用の券の向きの変更について示す説明図である。図に示すように、回転機構部８０では、作製された調整用の券２２ｒを、移動方向（搬送方向）に沿った用紙２１の右端上の延長線を基準として、移動方向を基準として反時計周りに９０度回転させて、切断時における調整用の券２２ｒの幅方向が移動方向（搬送部５０における搬送方向）に平行とされる。これにより、調整用の券２２ｒの幅Ｌｗが、後述する券長検知部７０で検知される長さＬｒとされる。なお、回転機構部８０としては、移動方向を基準として時計周りに９０度回転させる構造としてもよい。また、回転機構でなくてもよい。すなわち、切断時点における調整用の券２２ｒの幅方向を、搬送部５０の搬送方向に沿った方向を向くように変更することが可能な券方向変更部としての機能を有する機構であれば、種々の機構を適用することができる。
【００３５】
次に、調整制御部６４は、図６Ａに示すように、搬送部５０の動作を制御して、回転機構部８０で回転された調整用の券２２ｒの搬送を実行する。具体的には、まず、調整制御部６４は、搬送制御部６９を介して搬送モーター５２を駆動して搬送を開始する（ステップＳ２１２）。そして、搬送部５０による搬送過程において、調整制御部６４は、搬送中の調整用の券２２ｒの先端を券長検知部７０により検知した場合には（ステップＳ２１４）、券長検知部７０によるその通過時間の計測を開始し（ステップＳ２１６）、調整用の券２２ｒの後端を券長検知部７０により検知した場合には（ステップＳ２１８）、券長検知部７０によるその通過時間の計測を終了して、調整用の券２２ｒが通過した時間を券通過時間ｔｍｒとして取得する（ステップＳ２２０）。
【００３６】
以上の調整用の券２２ｒの切断から券通過時間ｔｍｒの取得までの処理（ステップＳ２０２〜ステップＳ２２０）を、あらかじめ設定したｎｒ（ｎｒは１以上の整数）の回数実行し（ステップＳ２２２）、券通過時間ｔｍｒの平均値を求めることにより、基準長Ｌｒを券長検知部７０により測定した基準時間ｔｒとする（ステップＳ２２４）。
【００３７】
次に、調整制御部６４は、通常の発券処理（図３）と同様に、図６Ｂに示すように、券切断部４０の動作を制御してロール紙２０から繰り出された用紙２１を切断し、現状設定されている設定条件に従って券２２を作製する。具体的には、調整制御部６４は。繰り出し制御部６５を介して繰り出しモーター４２を駆動してロール紙２０の繰り出しを開始する（ステップＳ２３２）。そして、調整制御部６４は、発券用の先端検知センサー４８ｂの検知信号に基づいて先端検知部６７でロール紙２０から繰り出された用紙２１の先端を検知を実行する（ステップＳ２３４）。用紙２１の先端を検知した場合、調整制御部６４は、繰り出し制御部６５を介して繰り出しモーター４２の駆動を停止してロール紙２０の繰り出しを停止し、発券用の先端検知センサー４８ｂの位置を、切断位置を決定するための基準位置として位置決めする（ステップＳ２３６）。次に、調整制御部６４は、繰り出し制御部６５を介して繰り出しモーター４２の駆動を再開して、用紙２１の先端を、位基準位置から、現状の設定条件として設定されている繰り出し回数（ステップ数）ｓｔｐおよび繰り出し単位長Ｌｓｔｐに従った調整長Ｌｃ分だけ繰り出し（ステップＳ２３８）、切断制御部６６を介してカッター４６を駆動して、設計条件に従った切断長Ｌｃｕｔ（＝Ｌｂ＋Ｌｃ）で用紙２１を切断する（ステップＳ２４０）。
【００３８】
次に、調整制御部６４は、搬送部５０の動作を制御して、券切断部４０で得られた券２２の搬送を実行する。具体的には、まず、調整制御部６４は、搬送制御部６９を介して搬送モーター５２を駆動して搬送を開始する（ステップＳ２４２）。そして、搬送部５０におる搬送過程において、調整制御部６４は、搬送中の券２２の先端を券長検知部７０により検知した場合には（ステップＳ２４４）、券長検知部７０によるその通過時間の計測を開始し（ステップＳ２４６）、券２２の後端を券長検知部７０により検知した場合には（ステップＳ２４８）、券長検知部７０によるその通過時間の計測を終了して、券２２が通過した時間を券通過時間ｔｍとして取得する（ステップＳ２５０）。
【００３９】
次に、調整制御部６４は、得られた基準時間ｔｒおよび券通過時間ｔｍに基づいて、設定条件の調整が必要か否か判断する（ステップＳ２５２）。具体的には、例えば、以下で説明するように判断される。
【００４０】
図８は、調整要否判断処理の例を示すフローチャートである。まず、下式（１）に示すように、取得した基準時間ｔｒに基づいて求められた券長基準値Ｌｓｔｍｒから、取得した券通過時間ｔｍに基づいて求められた券長測定値Ｌｓｔｍを差し引くことにより、券長基準値Ｌｓｒｍｒに対する券長測定値Ｌｓｔｍのずれ量ΔＬを求める（ステップＳ２６２）。
ΔＬ＝Ｌｓｔｍｒ−Ｌｓｔｍ  ・・・（１）
【００４１】
ここで、券長基準値Ｌｓｔｍｒは、下式（２）に示すように、基準時間ｔｒを、基準長Ｌｒに対する規定の長さＬｓｔの比に従って、規定の長さＬｓｔに対応する基準時間ｔｓｔｒ（＝ｔｒ＊Ｌｓｔ／Ｌｒ）に換算し、換算した基準時間（以下、単に「基準時間」とも呼ぶ）ｔｓｔｒに搬送速度ｖｃを乗ずることにより求めることができる。また、券長測定値Ｌｓｔｍは、下式（３）に示すように、測定した券通過時間ｔｍに搬送速度ｖｃを乗ずることにより求めることができる。
Ｌｓｔｍｒ＝ｔｓｔｒ＊ｖｃ
＝（ｔｒ＊Ｌｓｔ／Ｌｒ）＊ｖｃ
＝（ｔｒ＊ｖｃ）＊Ｌｓｔ／Ｌｒ  ・・・（２）
Ｌｓｔｍ＝ｔｍ＊ｖｃ                      ・・・（３）
【００４２】
図９は、券長基準値と券長測定値とずれ量の関係を示す説明図である。券長基準値Ｌｓｔｍｒは、式（２）および図９（Ｂ）に示すように、基準時間ｔｒと搬送速度ｖｃとの積で表した調整用の券２２ｒの基準長Ｌｒに対応する長さ（ｔｒ＊ｖｃ）（図９（Ａ）参照）を、基準長Ｌｒと規定の長さＬｓｔとの比に従って拡大して、調整用の券２２ｒの基準長（規定の長さ）Ｌｒに基づいて券２２の規定の長さＬｓｔを表したものである。また、券長測定値Ｌｓｔｍは、式（３）および図９（Ｃ）に示すように、券長通過時間ｔｍとの積で表した券２２の設定条件に従って切断された長さを表したものである。
【００４３】
券長測定値Ｌｓｔｍの券長基準値Ｌｓｔｍｒに対するずれ量ΔＬが０で、券長測定値Ｌｓｔｍが券長基準値Ｌｓｔｍｒと等しければ、券２２の長さは規定の長さＬｓｔに一致させることができる。しかしながら、このずれ量ΔＬは、従来例でも説明したたように、繰り出しローラー４４等のローラー径の寸法誤差や繰り出しモーター４２による繰り出し単位長の誤差等に起因して発生する繰り出し量の誤差のほか種々の装置設計状の誤差によって発生する。このため、券２２の切断長Ｌｃｕｔを規定の長さＬｓｔとするためには、ずれ量ΔＬが０となるように、繰り出し回数（ステップ数）ｓｔｐを調整してやればよい。ただし、装置設計においては、必ず調整可能な限界が存在するため、実際には、あらかじめ設定されている規定の長さＬｓｔには許容値±Ｌｐｖが設定されている。そして、券長測定値Ｌｓｔｍが、（Ｌｓｔｍｒ−Ｌｐｖ）〜（Ｌｓｔｍｒ＋Ｌｐｖ）の範囲内であれば、切断して得られた券２２の長さは規定の長さＬｓｔとなっているものとされる。そして、この場合、設定条件の調整は不要とされる。これに対して、券長測定値Ｌｓｔｍが、（Ｌｓｔｍｒ−Ｌｐｖ）〜（Ｌｓｔｍｒ＋Ｌｐｖ）の範囲内外となっている場合には、切断して得られた券２２の長さが規定の長さＬｓｔとなっていないものとされる。そして、この場合、設定条件の調整が必要とされる。
【００４４】
そこで、調整制御部６４は、図８に示すように、式（１）に従って券長基準値Ｌｓｔｍｒから券長基準値Ｌｓｔｍを差し引いて得られたずれ量ΔＬが、−Ｌｐｖ〜＋Ｌｐｖの許容範囲外となった場合（ステップＳ２６４：ＮＯ）には調整要と判断（ステップＳ２６６ｂ）し、−Ｌｐｖ〜＋Ｌｐｖの許容範囲内となった場合（ステップＳ２６４：ＹＥＳ）には調整不要と判断（ステップＳ２６６ａ）する。
【００４５】
そして、調整制御部６４は、調整要否判断（ステップＳ２５２）において、上記のように調整要と判断した場合には、図６Ｂに示すように、券長測定値Ｌｓｔｍが、規定の長さＬｓｔとしての券長基準値Ｌｓｔｍｒとなるように、設定条件としてステップ数（繰り出し回数）ｓｔｐを調整する（ステップＳ２５４）。また、調整制御部６４は、調整したステップ数ｓｔｐで、再度、ステップＳ２３２〜ステップＳ２５０の一例の処理を実行し、調整要否判断（ステップＳ２５２）において、調整不要と判断するまで、ステップＳ２３２〜ステップＳ２５４の処理を繰り返し実行する。なお、ステップ数ｓｔｐの調整は、具体的には、例えば、以下のように実行することができる。
【００４６】
まず、下式（４）に示すように、ずれ量ΔＬを繰り返し単位長Ｌｓｔｐ（図４参照）で除して調整ステップ数Δｓｔｐを求める。そして、下式（５）に示すように、現状設定されているステップ数ｓｔｐに、求めた調整ステップ数Δｓｔｐを加算して、新たに設定するステップ数ｓｔｐを求めることができる。なお、新たに設定するステップ数ｓｔｐは、初期に設定されるステップ数ｓｔｐとは別に制御データ記憶部６２に割り当てられている領域に記憶される。
Δｓｔｐ＝ΔＬ／Ｌｓｔｐ  ・・・（４）
ｓｔｐ＝ｓｔｐ＋Δｓｔｐ  ・・・（５）
【００４７】
例えば、繰り返し単位長Ｌｓｔｐが０．１ｍｍで、現状設定のステップ数ｓｔｐが５０であったとする。また、規定の長さＬｓｔが８０ｍｍで許容値±Ｌｐｖが±０．５ｍｍであったとする。そして、求められた券長基準値Ｌｓｔｍｒが８０ｍｍで、券長測定値Ｌｓｔｍが８１ｍｍｍであったとする。このとき、ずれ量ΔＬはΔＬ＝１ｍｍであり、許容範囲−０．５ｍｍ〜＋０．５ｍｍから外れる。この場合には、調整要と判断されて、調整ステップ数Δｓｔｐが、Δｓｔｐ＝（８０−８１）／０．１＝−１０のように求められ、新たに設定するステップ数ｓｔｐが、ｓｔｐ＝５０＋（−１０）＝４０のように求められて、調整条件として、新たなステップ数ｓｔｐ＝４０が設定される。
【００４８】
以上説明したように、本実施例では、あらかじめ調整処理を実行することにより、発券に使用するロール紙の幅の長さ（仕様であらかじめ規定の長さに決められている長さ）を基準として、切断して得られる券の長さが規定の長さとなるように、あらかじめ、発券装置の設定条件の調整を行っておくことができる。これにより、従来技術で説明したように、発券する券と同じ規定の長さを有する基準媒体を準備しておくことなく、精度良く発券を行うことが可能である。
【００４９】
なお、本実施例では、式（５）に示したように、券通過時間ｔｍや基準時間ｔｒと一定の搬送速度ｖｃとの積で券長測定値や券長基準値を求めたが、搬送速度ｖｃが一定でない場合には、搬送速度の変動を考慮して券の通過時間を測定し、測定した通過時間および変動する搬送速度に基づいて券長測定値や券長基準値を求めるようにすることが好ましい。例えば、複数の搬送速度で搬送される場合には、券通過時間を搬送速度ごとに分割し、分割された券通過時間と対応する搬送速度との積を積算することにより券長測定値や券長基準値を求めることができる。
【００５０】
また、本実施例では、発券する券が一種類、すなわち、規定の長さが一種類の場合を例に説明したが、これに限定されるものではなく、複数種類の規定の長さの券を発券する構成とすることも可能である。この場合には、発券装置において、カッター位置から、異なる種類の券ごとに、それぞれ、対応する固定長だけ離れた位置に先端検知センサーを設けた構成とする。そして、調整処理においては、各種類の券について、それぞれ、図６Ｂに示した処理（ステップＳ２３２〜Ｓ２５４）を実行して、それぞれに対応する設定条件としての繰り返し回数（ステップ数）を調整するようにすればよい。
【実施例２】
【００５１】
図１０Ａおよび図１０Ｂは、第２実施例における調整処理を示すフローチャートである。このフローチャートは、図１０Ａに示すように、第１実施例の図６ＡにおけるステップＳ２０２の処理の前工程として、調整用の券２２ｒの基準長Ｌｒについて実測した実際の長さ（以下、「実際の基準長」Ｌｉｒ）を取得する工程が追加されている。また、図１０Ｂに示すように、第１実施例の図６ＢにおけるステップＳ２５２の調整要否判断の工程が、ステップＳ２５２Ａの調整要否判断の工程に置き換えられている。なお、他の工程は、図６Ａおよび図６Ｂと同じであるので、以下では、ステップＳ２０１およびステップＳ２５２Ａについて詳述する。また、本実施例における発券装置の構成は、調整制御部で実行される上記調整処理の内容が異なるのみであり、実施例１における発券装置１０と同じであるので図示および説明を省略する。
【００５２】
実施例１では、式（２）で示したように、券長基準値Ｌｓｔｍｒとして、調整用の券２２ｒの基準長Ｌｒに対応する長さとして、基準時間ｔｒと搬送速度ｖｃの積で表された長さ（ｔｒ＊ｖｃ）を、基準長Ｌｒに対する規定の長さＬｓｔの比に従って拡大した値を用いている。
【００５３】
ここで、基準長Ｌｒとして用いたロール紙２０の幅Ｌｗは仕様によりあらかじめ定められているが、ロール紙２０の製造上ある程度のバラツキは発生する。例えば、図２に示したように、規定の幅Ｌｗに対して許容値±Ｌｗｐｖが設定されている。このため、基準長Ｌｒのバラツキにより券長基準値Ｌｓｔｍｒに発生するバラツキは、基準長Ｌｒのバラツキを基準長Ｌｒに対する規定の長さＬｓｔの比に従って拡大した値となって大きくなる。例えば、ロール紙２０の寸法誤差の最大値である許容値を±Ｌｐｗを±０．５ｍｍ、基準長Ｌｒに対する規定の長さＬｓｔの比を２とした場合、券長基準値Ｌｓｔｍｒで発生する寸法誤差の最大値は許容値±Ｌｐｗである±０．５ｍｍの２倍の±１．０ｍｍとなって、誤差が拡大されてしまう。この結果、仮に、作製した券２２の長さＬｓｔｍが券長基準値Ｌｓｔｍｒに一致するように調整したとしても、作製された券２２の実際の長さには、規定の長さＬｓｔに対して、券長基準値Ｌｓｔｍｒに内在する±１．０ｍｍの誤差が発生してしまう。
【００５４】
上記基準長Ｌｒの誤差による影響を抑制するためには、基準長Ｌｒとしてのロール紙２０の幅Ｌｗの実際の寸法を基準長として用いることが考えられる。これによれば、基準長に対する規定の長さの比に従って拡大される誤差の影響を抑制することが可能である。ステップＳ２０１の工程の追加およびステップＳ２５２のステップＳ２５２Ａへの工程の変更は、これに対応するためのものである。
【００５５】
ステップＳ２０１では、調整制御部６４は、実測した実際の基準長Ｌｉｒを、設定者が入力操作部６１（図１）を介して入力設定することを許容する工程である。設定者は、調用の券２２ｒの基準長Ｌｒとして用いられるロール紙２０の幅Ｌｗの実際の寸法を測定し、測定した寸法を実際の基準長Ｌｉｒとして、入力操作部６１（図１）を介して入力設定する。なお、この実際の基準長設定は、必ずしも毎回実行する必要はなく、あらかじめ、使用するロール紙２０をホルダー３０にセットする時点で一度実行するようにしてもよい。入力設定した実際の基準長Ｌｉｒは制御データ記憶部６２のあらかじめ割り当てら得た領域に記憶される。
【００５６】
ステップＳ２５２Ａでは、以下で説明するように、図１１に示す判断要否処理フローに従って、得られた基準時間ｔｒおよび券通過時間ｔｍに基づいて、設定条件の調整が必要か否か判断する。
【００５７】
図１１は、調整要否判断処理の例を示すフローチャートである。まず、図８のステップＳ２６２と同様に、下式（１Ａ）に示すように、取得した基準時間ｔｒに基づいて求められた券長基準値Ｌｓｔｍｒｐから、取得した券通過時間ｔｍに基づいて求められた券長測定値Ｌｓｔｍを差し引くことにより、券長基準値Ｌｓｒｍｒｐに対する券長測定値Ｌｓｔｍのずれ量ΔＬを求める（ステップＳ２６２Ａ）。
ΔＬ＝Ｌｓｔｍｒｐ−Ｌｓｔｍ  ・・・（１Ａ）
【００５８】
ここで、券長基準値Ｌｓｍｒｐは、下式（２Ａ）に示すように、基準時間ｔｒを、実際の基準長Ｌｉｒに対する規定の長さＬｓｔの比に従って、規定の長さＬｓｔに対応する基準時間ｔｓｔｒｐ（＝ｔｒ＊Ｌｓｔ／Ｌｉｒ）に換算し、換算した基準時間ｔｓｔｒｐに搬送速度ｖｃを乗ずることにより求めることができる。また、券長測定値Ｌｓｔｍは、上式（３）と同じ下式（３Ａ）に示すように、測定した券通過時間ｔｍに搬送速度ｖｃを乗ずることにより求めることができる。
Ｌｓｔｍｒｐ＝ｔｓｔｒｐ＊ｖｃ
＝（ｔｒ＊Ｌｓｔ／Ｌｉｒ）＊ｖｃ
＝（ｔｒ＊ｖｃ）＊Ｌｓｔ／Ｌｉｒ  ・・・（２Ａ）
Ｌｓｔｍ＝ｔｍ＊ｖｃ                        ・・・（３Ａ）
【００５９】
そして、調整制御部６４は、式（１Ａ）に従って券長基準値Ｌｓｔｍｒｐから券長基準値Ｌｓｔｍを差し引いて得られたずれ量ΔＬが、−Ｌｐｖ〜＋Ｌｐｖの許容範囲外となった場合（ステップＳ２６４：ＮＯ）には調整要と判断（ステップＳ２６６ｂ）し、−Ｌｐｖ〜＋Ｌｐｖの許容範囲内となった場合（ステップＳ２６４：ＹＥＳ）には調整不要と判断（ステップＳ２６６ａ）する。
【００６０】
以上説明したように、本実施例では、基準長として用いられるロール紙の幅の寸法として仕様で決められている値ではなく、実測した実際の寸法を入力設定した値を基準長として利用している。これにより、ロール紙の幅の寸法誤差の影響を抑制して、精度よく規定の長さの券を発券することができる。
【００６１】
本実施例においても、第１実施例で説明した搬送速度の変動を考慮して券の通過時間を測定し、測定した通過時間および変動する搬送速度に基づいて券長測定値や券長基準値を求めるようにすることが可能である。また、複数種類の規定の長さの券を発券する構成とすることも可能である。
【００６２】
なお、本発明は上記した実施例に限定されるものではなく、様々な変形例が含まれる。例えば、上記した実施例は本発明をわかりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【００６３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive ）等の記録装置、または、ＩＣカード、ＳＤカード、ＤＶＤ等の記録媒体に置くことができる。
【００６４】
また、制御線や情報線は説明状必要と考えられるものを示しており、製品上必ずしも全ての制御線や情報線を示しているとは限らない。実際には殆ど全ての構成が相互に接続されていると考えても良い。
【符号の説明】
【００６５】
１０・発券装置
２０…ロール紙
２１…用紙
２２…券
２２ｒ…調整用の券
３０…ホルダー
４０…券切断部
４２…繰り出しモーター
４４…繰り出しローラー
４６…カッター
４８ａ，４８ｂ…先端検知センサー
５０…搬送部
５２…搬送モーター
５４…搬送ローラー
６０…制御部
６１…入力操作部
６２…制御データ記憶部
６３…発券制御部
６４…調整制御部
６５…繰り出し制御部
６６…切断制御部
６７…先端検知部
６８…券方向変更制御部
６９…搬送制御部
７０…券長検知部
７２…券長検知センサー
８０…回転機構部
【図１】
2014024242.tif 000003
【図２】
2014024242.tif 000004
【図３】
2014024242.tif 000005
【図４】
2014024242.tif 000006
【図５】
2014024242.tif 000007
【図６Ａ】
2014024242.tif 000008
【図６Ｂ】
2014024242.tif 000009
【図７】
2014024242.tif 000010
【図８】
2014024242.tif 000011
【図９】
2014024242.tif 000012
【図１０Ａ】
2014024242.tif 000013
【図１０Ｂ】
2014024242.tif 000014
【図１１】
2014024242.tif 000015